(57)【要約】【課題】造形物の色の調整を適切に行う。【解決手段】造形物５０を造形する造形装置１２であって、造形物５０の材料を吐出するヘッド部１０２と、それぞれの色の材料を吐出する位置を示すデータであり、所定の材料色空間において色が表現されている吐出位置指定データに基づいてヘッド部１０２の動作を制御する制御部１１０とを備え、制御部１１０は、所定の入力色空間において色が表現されている入力データに基づいて吐出位置指定データを生成し、かつ、吐出位置指定データを生成する処理において、少なくとも、入力色空間での色と材料色空間での色とを対応付けるプロファイルと、プロファイルを用いて行う色変換に対して行う調整に用いるパラメータである色調整パラメータとを用いて色を変換する色変換処理を行う。【選択図】図１
2020097204.tif 000002
【特許請求の範囲】
【請求項１】
少なくとも一部が着色された立体的な造形物を造形する造形装置であって、
前記造形物の材料として互いに異なる色の複数色の前記材料を吐出するヘッド部と、
それぞれの色の前記材料を吐出する位置を示すデータであり、前記造形物の着色に用いる前記材料の色に対応する色空間である材料色空間において前記造形物の少なくとも一部に対する色が表現されている吐出位置指定データに基づいて前記ヘッド部の動作を制御する制御部と
を備え、
前記制御部は、前記造形物を示すデータとして入力されるデータであり、前記材料色空間と異なる色空間である入力色空間において前記造形物の少なくとも一部の色が表現されている入力データに基づいて前記吐出位置指定データを生成し、
かつ、
前記吐出位置指定データを生成する処理において、少なくとも、
前記入力色空間での色と前記材料色空間での色とを対応付けるプロファイルと、
前記プロファイルを用いて行う色変換に対して行う調整に用いるパラメータである色調整パラメータと
を用いて色を変換する色変換処理を行うことを特徴とする造形装置。
【請求項２】
前記色変換処理は、前記入力色空間における複数の基本色である複数の入力基本色により表現される色を、前記材料色空間における複数の基本色である複数の材料基本色により表現される色に変換する処理であり、
前記制御部は、前記色変換処理において、
前記プロファイルに基づいて前記複数の入力基本色により表現される色を前記複数の材料基本色により表現される色に変換するプロファイル変換処理と、
前記プロファイル変換処理の結果に対して調整を行う処理であり、前記複数の材料基本色の色毎に予め用意された前記色調整パラメータに基づいて色の調整を行う変換後調整処理と
を行うことを特徴とする請求項１に記載の造形装置。
【請求項３】
前記色変換処理は、前記入力色空間における複数の基本色である複数の入力基本色により表現される色を、前記材料色空間における複数の基本色である複数の材料基本色により表現される色に変換する処理であり、
前記制御部は、前記色変換処理において、
前記複数の入力基本色の色毎に予め用意された前記色調整パラメータに基づいて色の調整を行う処理であり、前記プロファイルに基づいて行う色の変換の処理の前に行う変換前調整処理と、
前記プロファイルに基づいて前記複数の入力基本色により表現される色を前記複数の材料基本色により表現される色に変換する処理であり、前記変換前調整処理により調整が行われた色に対する色の変換を行うプロファイル変換処理と
を行うことを特徴とする請求項１に記載の造形装置。
【請求項４】
前記制御部は、前記色変換処理において、
前記造形物における第１の領域に対して、前記プロファイル、及び第１の前記色調整パラメータを用いて色の変換を行い、
前記造形物における前記第１の領域と異なる前記造形物の第２の領域に対して、前記プロファイル、及び前記第１の色調整パラメータと異なる第２の前記色調整パラメータを用いて色の変換を行うことを特徴とする請求項１から３のいずれかに記載の造形装置。
【請求項５】
前記制御部は、前記第１の領域を選択する指示と、前記第１の色調整パラメータを選択する指示とをユーザから受け付けることを特徴とする請求項４に記載の造形装置。
【請求項６】
前記第１の領域は、前記造形物の表面におけるいずれかの面に対応する領域であり、
前記第２の領域は、前記造形物の表面において水平面に対する傾きが前記第１の領域に対応する面とは異なる面に対応する領域であることを特徴とする請求項４又は５に記載の造形装置。
【請求項７】
前記制御部は、前記造形装置により過去に造形された前記造形物において表現されている色を測色した結果に基づき、その後に造形を行う前記造形物の造形時に使用する前記色調整パラメータを設定することを特徴とする請求項１から６のいずれかに記載の造形装置。
【請求項８】
光反射性の前記材料を用いて形成される光反射領域と、
複数色の前記材料を用いて着色される領域であり、前記光反射領域の周囲に形成される着色領域と
を備える前記造形物を造形し、
前記色変換処理において、前記制御部は、前記着色領域の厚みに応じて、使用する前記色調整パラメータを変更することを特徴とする請求項１から７のいずれかに記載の造形装置。
【請求項９】
前記造形装置は、予め設定された積層方向へ前記材料の層を積層することで前記造形物を造形し、
前記制御部は、
それぞれの前記層に対応する位置における前記造形物の断面の形状及び色を前記入力データに基づいて設定するスライス処理と、
前記色変換処理と
を行うことで、それぞれの前記層の形成時に前記材料を吐出する位置を指定する前記吐出位置指定データを生成することを特徴とする請求項１から８のいずれかに記載の造形装置。
【請求項１０】
少なくとも一部が着色された立体的な造形物を造形する造形方法であって、
前記造形物の材料として互いに異なる色の複数色の前記材料を吐出するヘッド部を用い、
それぞれの色の前記材料を吐出する位置を示すデータであり、前記造形物の着色に用いる前記材料の色に対応する色空間である材料色空間において前記造形物の少なくとも一部に対する色が表現されている吐出位置指定データに基づいて前記ヘッド部の動作を制御し、
前記ヘッド部の動作の制御において、前記造形物を示すデータとして入力されるデータであり、前記材料色空間と異なる色空間である入力色空間において前記造形物の少なくとも一部の色が表現されている入力データに基づいて前記吐出位置指定データを生成し、
かつ、
前記吐出位置指定データを生成する処理において、少なくとも、
前記入力色空間での色と前記材料色空間での色とを対応付けるプロファイルと、
前記プロファイルを用いて行う色変換に対して行う調整に用いるパラメータである色調整パラメータと
を用いて色を変換する色変換処理を行うことを特徴とする造形方法。
【請求項１１】
少なくとも一部が着色された立体的な造形物を造形する造形装置であって、
前記造形物の材料として互いに異なる色の複数色の前記材料を吐出するヘッド部と、
それぞれの色の前記材料を吐出する位置を示すデータであり、前記造形物の着色に用いる前記材料の色に対応する色空間である材料色空間において前記造形物の少なくとも一部に対する色が表現されている吐出位置指定データに基づいて前記ヘッド部の動作を制御する制御部と
を備え、
前記制御部は、前記造形物を示すデータとして入力されるデータであり、前記材料色空間と異なる色空間である入力色空間において前記造形物の少なくとも一部の色が表現されている入力データに基づき、前記入力色空間での色から前記材料色空間での色への変換を行う色変換処理を少なくとも行って、前記吐出位置指定データを生成し、
かつ、前記色変換処理において、
前記造形物の第１の領域に対して行う色の変換時と、
前記第１の領域と異なる前記造形物の第２の領域に対して行う色の変換時と
で、変換の前後の色の対応付けを異ならせることを特徴とする造形装置。
【請求項１２】
少なくとも一部が着色された立体的な造形物を造形する造形方法であって、
前記造形物の材料として互いに異なる色の複数色の前記材料を吐出するヘッド部を用い、
それぞれの色の前記材料を吐出する位置を示すデータであり、前記造形物の着色に用いる前記材料の色に対応する色空間である材料色空間において前記造形物の少なくとも一部に対する色が表現されている吐出位置指定データに基づいて前記ヘッド部の動作を制御し、
前記ヘッド部の動作の制御において、前記造形物を示すデータとして入力されるデータであり、前記材料色空間と異なる色空間である入力色空間において前記造形物の少なくとも一部の色が表現されている入力データに基づき、前記入力色空間での色から前記材料色空間での色への変換を行う色変換処理を少なくとも行って、前記吐出位置指定データを生成し、
かつ、前記色変換処理において、
前記造形物の第１の領域に対して行う色の変換時と、
前記第１の領域と異なる前記造形物の第２の領域に対して行う色の変換時と
で、変換の前後の色の対応付けを異ならせることを特徴とする造形方法。
【発明の詳細な説明】
【技術分野】
【０００１】
本発明は、造形装置及び造形方法に関する。
【背景技術】
【０００２】
従来、インクジェットヘッドを用いて造形物を造形する造形装置（３Ｄプリンタ）が知られている（例えば、特許文献１参照。）。このような造形装置においては、例えば、インクジェットヘッドにより形成するインクの層を複数層重ねることにより、積層造形法で造形物を造形する。
【先行技術文献】
【特許文献】
【０００３】
【特許文献１】特開２０１５−０７１２８２号公報
【発明の概要】
【発明が解決しようとする課題】
【０００４】
インクジェットヘッドを用いて造形物を造形する場合、複数色のインクを用いることで、着色がされた造形物を造形することができる。しかし、この場合、例えば造形物の形状等の要因により、完成した造形物の色と、イメージしていた色との間に差が生じる場合がある。そして、この場合、通常、造形物を示す入力データをモデリングソフトウェア等で再編集して、色の調整を行うことが必要になる。しかし、このようにして色の調整を行う場合、作業の手戻りによる手間が大きくなり、作業の効率が大きく低下することになる。そのため、従来、造形物の色の調整をより適切に行うことが望まれていた。そこで、本発明は、上記の課題を解決できる造形装置及び造形方法を提供することを目的とする。
【課題を解決するための手段】
【０００５】
本願の発明者は、鋭意研究により、入力データの編集等を行うのではなく、入力データに対して行う色変換処理での色の変換の仕方を調整することで、造形物の色の調整を行うことを考えた。より具体的に、複数色のインクを用いて着色された造形物を造形する場合、通常、入力データにおいて指定されている色に対し、使用するインクの色に合わせて予め用意されているプロファイル（例えば、ＩＣＣプロファイル）を用いて、色変換処理を行う。そして、この場合、色変換処理での色の変換の仕方に対して調整（補正）を行えば、入力データの再編集等を行うことなく、造形物の色を調整することが可能である。
【０００６】
また、更に具体的に、本願の発明者は、このようにして行う色の調整の仕方に関し、プロファイルに加えて、色調整パラメータを用いることを考えた。この場合、色調整パラメータとは、例えば、プロファイルを用いて行う色変換に対して行う調整に用いるパラメータのことである。このように構成すれば、例えば、手戻りによる手間の増大等を適切に防ぎつつ、造形物の色の調整を適切に行うことができる。
【０００７】
また、本願の発明者は、更なる鋭意研究により、このような効果を得るために必要な特徴を見出し、本発明に至った。上記の課題を解決するために、本発明は、少なくとも一部が着色された立体的な造形物を造形する造形装置であって、前記造形物の材料として互いに異なる色の複数色の前記材料を吐出するヘッド部と、それぞれの色の前記材料を吐出する位置を示すデータであり、前記造形物の着色に用いる前記材料の色に対応する色空間である材料色空間において前記造形物の少なくとも一部に対する色が表現されている吐出位置指定データに基づいて前記ヘッド部の動作を制御する制御部とを備え、前記制御部は、前記造形物を示すデータとして入力されるデータであり、前記材料色空間と異なる色空間である入力色空間において前記造形物の少なくとも一部の色が表現されている入力データに基づいて前記吐出位置指定データを生成し、かつ、前記吐出位置指定データを生成する処理において、少なくとも、前記入力色空間での色と前記材料色空間での色とを対応付けるプロファイルと、前記プロファイルを用いて行う色変換に対して行う調整に用いるパラメータである色調整パラメータとを用いて色を変換する色変換処理を行うことを特徴とする。
【０００８】
このように構成すれば、例えば、入力データの再編集等を行うことなく、造形物の色を調整することができる。また、これにより、例えば、手戻りによる手間の増大等を適切に防ぎつつ、造形物の色の調整を適切に行うことができる。
【０００９】
この構成において、ヘッド部は、例えば、互いに異なる色のインクをそれぞれが吐出する複数のインクジェットヘッドを備える。この場合、インクは、造形物の材料の一例である。また、インクとしては、例えば、紫外線硬化型インク等を好適に用いることができる。また、造形装置は、例えば、予め設定された積層方向へ材料の層を積層することで造形物を造形する。そして、制御部は、例えば、それぞれの層に対応する位置における造形物の断面の形状及び色を入力データに基づいて設定するスライス処理と、色変換処理とを行うことで、それぞれの層の形成時に材料を吐出する位置を指定する吐出位置指定データを生成する。このように構成すれば、例えば、色の調整の結果を反映した吐出位置指定データを適切に生成することができる。
【００１０】
また、この構成において、色調整パラメータとしては、例えば、一つの色について、調整前の値と調整後の値とを対応付けるためのパラメータを用いることが考えられる。この場合、調整前の値とは、例えば、調整前の色の濃度（色の濃さ）である。また、調整後の値とは、例えば、調整後の色の濃度である。また、調整前の値と調整後の値とを対応付けるためのパラメータとは、例えば、対応付けを決める関数等の対応関係を指定するパラメータであってよい。色調整パラメータを用いて行う色の調整については、例えば、色の濃度を変換する濃度変換処理等を考えることもできる。
【００１１】
また、この構成において、色変換処理としては、例えば、入力色空間における複数の基本色である複数の入力基本色により表現される色を、材料色空間における複数の基本色である複数の材料基本色により表現される色に変換する処理を行うことが考えられる。また、より具体的に、入力色空間としては、例えば、ＲＧＢ色空間を用いることが考えられる。この場合、複数の入力基本色としては、Ｒ（レッド）色、Ｇ（グリーン）色、及びＢ（ブルー）色を用いることが考えられる。また、着色に用いる材料としては、例えば、Ｃ（シアン）色、Ｍ（マゼンタ）色、Ｙ（イエロー）色、及びＫ（ブラック）色の各色の材料を用いることが考えられる。この場合、材料色空間としては、例えば、ＣＭＹＫ色空間を用いることが考えられる。また、この場合、プロファイルとしては、例えば、ＲＧＢ色空間での色とＣＭＹＫ色空間での色とを対応付けるプロファイル（入力・出力プロファイル）を用いることが考えられる。このようなプロファイルとしては、例えばＩＣＣプロファイル等の公知のプロファイルを好適に用いることができる。
【００１２】
また、この場合、色調整パラメータを用いた色の調整については、例えば、プロファイルを用いて行った変換後の色に対して行うことが考えられる。より具体的に、この場合、制御部は、色変換処理において、例えば、プロファイル変換処理及び変換後調整処理を行う。プロファイル変換処理とは、例えば、プロファイルに基づいて複数の入力基本色により表現される色を複数の材料基本色により表現される色に変換する処理である。また、変換後調整処理は、例えば、プロファイル変換処理の結果に対して調整を行う処理であり、複数の材料基本色の色毎に予め用意された色調整パラメータに基づいて色の調整を行う。このように構成すれば、例えば、造形物の色の調整を適切に行うことができる。
【００１３】
また、色調整パラメータを用いた色の調整については、例えば、プロファイルを用いて行う変換前の色に対して行うことも考えられる。より具体的に、この場合、制御部は、色変換処理において、変換前調整処理及びプロファイル変換処理を行う。変換前調整処理は、プロファイルに基づいて行う色の変換の処理の前に行う処理であり、例えば、複数の入力基本色の色毎に予め用意された色調整パラメータに基づいて色の調整を行う。また、この場合、プロファイル変換処理は、例えば、プロファイルに基づいて複数の入力基本色により表現される色を複数の材料基本色により表現される色に変換する処理であり、変換前調整処理により調整が行われた色に対する色の変換を行う。このように構成した場合も、例えば、造形物の色の調整を適切に行うことができる。
【００１４】
また、立体的な造形物においては、造形物の位置によって色の見え方に差が生じること等も考えられる。そして、この場合、例えば、造形物の領域によって色の調整の仕方を異ならせること等も考えられる。より具体的に、この場合、色変換処理において、制御部は、例えば、造形物における第１の領域に対して、プロファイル、及び第１の色調整パラメータを用いて色の変換を行う。そして、造形物における第１の領域と異なる造形物の第２の領域に対して、プロファイル、及び第１の色調整パラメータと異なる第２の色調整パラメータを用いて色の変換を行う。この場合、プロファイルについては、例えば、第１の領域及び第２の領域に対して同じプロファイルを使用することが考えられる。また、プロファイルについては、造形物の全体に対し、同じプロファイルを使用することが考えられる。このように構成すれば、例えば、造形物の各領域に合わせた色の調整を適切に行うことができる。また、このような動作については、例えば、造形物の第１の領域に対して行う色の変換時と、第２の領域に対して行う色の変換時とで、変換の前後の色の対応付けを異ならせる動作等と考えることもできる。
【００１５】
また、この場合、どの領域に対してどのような色調整パラメータを用いるかについては、例えば、ユーザの指示に基づいて決定を行うことが考えられる。より具体的に、この場合、制御部は、例えば、第１の領域を選択する指示と、第１の色調整パラメータを選択する指示とをユーザから受け付ける。このように構成すれば、例えば、造形物の各領域に対し、ユーザの指示に基づく調整を適切に行うことができる。また、この場合、第２の領域についても、例えば、領域及び色調整パラメータを選択する指示を受け付けてもよい。また、ユーザの指定を受けなかった領域に対しては、例えば、予め設定された標準の方法での色の調整を行うこと等が考えられる。
【００１６】
また、造形物の領域によって色の調整の仕方を異ならせる場合、例えば、造形物の表面を構成する面毎に色の調整の仕方を設定すること等が考えられる。この場合、第１の領域としては、例えば、造形物の表面におけるいずれかの面に対応する領域を設定することが考えられる。また、第２の領域としては、例えば、造形物の表面において水平面に対する傾きが第１の領域に対応する面とは異なる面に対応する領域を設定すること等が考えられる。このように構成すれば、面毎の色の調整を適切に行うことができる。
【００１７】
また、色変換処理において使用する色調整パラメータについては、例えば、自動的に選択を行うこと等も考えられる。この場合、例えば、入力データが示す造形物の形状等に基づき、制御部において自動的に色調整パラメータを設定すること等が考えられる。また、自動的に行う色調整パラメータの選択については、例えば、実際に造形を行った結果に対する色の測定をして、測定の結果に基づいて行うこと等も考えられる。より具体的に、この場合、制御部は、例えば、造形装置により過去に造形された造形物において表現されている色を測色した結果に基づき、その後に造形を行う造形物の造形時に使用する色調整パラメータを設定する。このように構成すれば、例えば、色の調整をより容易かつ適切に行うことができる。
【００１８】
また、色変換処理において使用する色調整パラメータについては、例えば、造形物の構成に応じて設定すること等も考えられる。また、この場合、例えば、造形物において着色がされる着色領域の厚みに応じて、使用する色調整パラメータを変更すること等が考えられる。より具体的に、造形装置においては、例えば、光反射領域及び着色領域を備える造形物を造形することが考えられる。この場合、光反射領域とは、例えば、光反射性の材料を用いて形成される領域である。また、着色領域とは、例えば、光反射領域の周囲に複数色の材料を用いて着色される領域である。そして、この場合、着色領域において表現される色（例えば、色の濃度等）については、通常、着色領域の厚みによって変化すると考えられる。着色領域の厚みとは、例えば、造形物の表面の法線方向における厚みのことである。また、この場合、色変換処理において、制御部は、例えば、着色領域の厚みに応じて、使用する色調整パラメータを変更する。このように構成すれば、例えば、着色領域の厚みに合わせた色の調整を適切に行うことができる。
【００１９】
また、色変換処理について、造形物の領域によって色の調整の仕方を異ならせる点に着目した場合、本発明の構成として、例えば、造形物の第１の領域に対して行う色の変換時と、第１の領域と異なる造形物の第２の領域に対して行う色の変換時とで、変換の前後の色の対応付けを異ならせる構成等を考えることもできる。また、本発明の構成として、上記と同様の特徴を有する造形方法等を用いることも考えられる。この場合も、例えば、上記と同様の効果を得ることができる。また、このような造形方法については、例えば、造形物の製造方法等と考えることもできる。
【発明の効果】
【００２０】
本発明によれば、例えば、造形物の色の調整を適切に行うことができる。
【図面の簡単な説明】
【００２１】
【図１】本発明の一実施形態に係る造形システム１０の一例を示す図である。図１（ａ）は、造形システム１０の構成の一例を示す。図１（ｂ）は、造形装置１２の要部の構成の一例を示す。図１（ｃ）は、ヘッド部１０２の構成の一例を示す。
【図２】本例の造形装置１２により造形する造形物５０の構成の一例を示す図である。
【図３】造形物５０の造形を行う動作について更に詳しく説明をする図である。
【図４】色変換処理について更に詳しく説明をする図である。図４（ａ）は、色変換処理の動作の一例を示す。図４（ｂ）は、図４（ａ）に示した場合と異なる色濃度曲線３０２の例を示す。
【図５】着色領域１５６の厚みと色調整パラメータとの関係について更に詳しく説明をする図である。図５（ａ）は、着色領域１５６の厚みと色の濃度との関係の一例を示す。図５（ｂ）、（ｃ）は、着色領域１５６の厚みの調整の例を示す。
【図６】色調整パラメータを用いて行う色の調整の仕方の変形例について説明をする図である。図６（ａ）、（ｂ）は、色調整パラメータを用いて領域毎の色の調整を行う場合に選択する領域の例を示す。
【発明を実施するための形態】
【００２２】
以下、本発明に係る実施形態を、図面を参照しながら説明する。図１は、本発明の一実施形態に係る造形システム１０の一例を示す。図１（ａ）は、造形システム１０の構成の一例を示す。本例において、造形システム１０は、立体的な造形物を造形する造形システムであり、造形装置１２及び制御ＰＣ１４を備える。
【００２３】
造形装置１２は、造形物の造形を実行する装置であり、制御ＰＣ１４の制御に応じて、造形物を造形する。また、より具体的に、造形装置１２は、フルカラーでの着色がされた造形物を造形可能なフルカラー造形装置（フルカラー３Ｄプリンタ）であり、造形しようとする造形物を示す入力データを制御ＰＣ１４から受け取り、入力データに基づいて、少なくとも一部が着色された立体的な造形物を造形する。
【００２４】
制御ＰＣ１４は、造形装置１２の動作を制御するコンピュータ（ホストＰＣ）であり、上記のような入力データを造形装置１２へ供給することにより、造形装置１２による造形の動作を制御する。また、より具体的に、本例において、制御ＰＣ１４は、外部から色彩を視認できる表面に着色がされた造形物を示す入力データを造形装置１２へ供給する。
【００２５】
尚、上記のように、本例において、造形システム１０は、複数の装置である造形装置１２及び制御ＰＣ１４により構成されている。しかし、造形システム１０の変形例において、造形システム１０は、一台の装置により構成されてもよい。この場合、例えば、制御ＰＣ１４の機能を含む一台の造形装置１２により造形システム１０を構成すること等が考えられる。
【００２６】
続いて、造形装置１２の具体的な構成について、説明をする。図１（ｂ）は、造形装置１２の要部の構成の一例を示す。本例において、造形装置１２は、予め設定された積層方向へインクの層を積層することで立体的な造形物５０を造形する造形装置であり、ヘッド部１０２、造形台１０４、走査駆動部１０６、及び制御部１１０を有する。
【００２７】
尚、以下に説明をする点を除き、造形装置１２は、公知の造形装置と同一又は同様の構成を有してよい。より具体的に、以下に説明をする点を除き、造形装置１２は、インクジェットヘッドを用いて造形物５０の材料となる液滴を吐出することで造形を行う公知の造形装置と同一又は同様の特徴を有してよい。また、造形装置１２は、図示した構成以外にも、例えば、造形物５０の造形等に必要な各種構成を更に備えてよい。また、本例において、造形装置１２は、積層造形法により立体的な造形物５０を造形する造形装置（３Ｄプリンタ）である。この場合、積層造形法とは、例えば、積層方向へ複数の層を重ねて造形物５０を造形する方法のことである。造形物５０とは、例えば、立体的な三次元構造物のことである。
【００２８】
ヘッド部１０２は、造形物５０の材料を吐出する部分である。また、本例において、造形物５０の材料としては、インクを用いる。この場合、インクとは、例えば、機能性の液体のことである。また、本例において、インクについては、例えば、インクジェットヘッドから吐出する液体等と考えることもできる。また、より具体的に、ヘッド部１０２は、造形物５０の材料として、複数のインクジェットヘッドから、所定の条件に応じて硬化するインクを吐出する。そして、着弾後のインクを硬化させることにより、造形物５０を構成する各層を重ねて形成して、積層造形法で造形物を造形する。また、本例では、インクとして、紫外線の照射により液体状態から硬化する紫外線硬化型インク（ＵＶインク）を用いる。また、ヘッド部１０２は、造形物の材料として、少なくとも、互いに異なる色の複数色のインクを吐出する。
【００２９】
また、ヘッド部１０２は、造形物５０の材料として用いるインクに加え、サポート層５２の材料であるサポート材として用いるインクを更に吐出する。また、これにより、ヘッド部１０２は、造形物５０の周囲等に、必要に応じて、サポート層５２を形成する。サポート層５２とは、例えば、造形中の造形物５０の少なくとも一部を支持する積層構造物のことである。サポート層５２は、造形物５０の造形時において、必要に応じて形成され、造形の完了後に除去される。
【００３０】
造形台１０４は、造形中の造形物５０を支持する台状部材であり、ヘッド部１０２におけるインクジェットヘッドと対向する位置に配設され、造形中の造形物５０及びサポート層５２を上面に載置する。また、本例において、造形台１０４は、少なくとも上面が積層方向（図中のＺ方向）へ移動可能な構成を有しており、走査駆動部１０６に駆動されることにより、造形物５０の造形の進行に合わせて、少なくとも上面を移動させる。また、本例において、積層方向は、造形装置１２において予め設定される主走査方向（図中のＹ方向）及び副走査方向（図中のＸ方向）と直交する方向である。
【００３１】
走査駆動部１０６は、造形中の造形物５０に対して相対的に移動する走査動作をヘッド部１０２に行わせる駆動部である。この場合、造形中の造形物５０に対して相対的に移動するとは、例えば、造形台１０４に対して相対的に移動することである。また、ヘッド部１０２に走査動作を行わせるとは、例えば、ヘッド部１０２が有するインクジェットヘッドに走査動作を行わせることである。また、本例において、走査駆動部１０６は、走査動作として、主走査動作（Ｙ走査）、副走査動作（Ｘ走査）、及び積層方向走査（Ｚ走査）をヘッド部１０２に行わせる。
【００３２】
主走査動作とは、例えば、造形中の造形物５０に対して相対的に主走査方向へ移動しつつインクを吐出する動作のことである。副走査動作とは、例えば、主走査方向と直交する副走査方向へ造形中の造形物５０に対して相対的に移動する動作のことである。副走査動作については、例えば、予め設定された送り量だけ副走査方向へ造形台１０４に対して相対的に移動する動作等と考えることもできる。また、積層方向走査とは、例えば、造形中の造形物５０に対して相対的に積層方向へヘッド部１０２を移動させる動作のことである。走査駆動部１０６は、造形の動作の進行に合わせてヘッド部１０２に積層方向走査を行わせることにより、積層方向において、造形中の造形物５０に対するインクジェットヘッドの相対位置を調整する。
【００３３】
制御部１１０は、例えば造形装置１２のＣＰＵであり、造形装置１２の各部を制御することにより、造形装置１２において造形物５０及びサポート層５２を形成する動作を各部に実行させる。また、より具体的に、本例において、制御部１１０は、制御ＰＣ１４から受け取る入力データに基づき、スライスデータを生成する。この場合、スライスデータとは、例えば、造形物５０及びサポート層５２の断面を示すデータのことである。制御部１１０は、予め設定された間隔で設定される積層方向における複数の位置に対応する複数のスライスデータを生成する。そして、造形物５０を構成するそれぞれのインクの層を形成する動作において、例えば、ヘッド部１０２における各インクジェットヘッドの動作をインクの層の位置に対応するスライスデータに従って制御することにより、造形物５０及びサポート層５２の形成に用いるインクを各インクジェットヘッドに吐出させる。また、本例において、スライスデータは、それぞれの色のインクを吐出する位置を示すデータである吐出位置指定データの一例である。入力データに基づいてスライスデータを生成する動作については、後に更に詳しく説明をする。
【００３４】
尚、造形装置１２の変形例においては、造形装置１２について、複数の装置により構成すること等も考えられる。この場合、例えば、造形物５０の造形の動作を実行する本体部とは別の装置により制御部１１０の機能の少なくとも一部を実行すること等が考えられる。また、この場合、制御部１１０の機能の少なくとも一部を実行する装置として、コンピュータ等を用いることが考えられる。また、このコンピュータでは、例えば、スライスデータを生成する処理の少なくとも一部を実行すること等が考えられる。また、このようなコンピュータとしては、制御ＰＣ１４を兼用して用いることも考えられる。この場合、造形システム１０の全体が造形装置１２として機能していると考えることもできる。
【００３５】
続いて、造形装置１２におけるヘッド部１０２の構成について、更に詳しく説明をする。図１（ｃ）は、ヘッド部１０２の構成の一例を示す。本例において、ヘッド部１０２は、複数のインクジェットヘッド、複数の紫外線光源２０４、及び平坦化ローラ２０６を有する。また、複数のインクジェットヘッドとして、図中に示すように、インクジェットヘッド２０２ｓ、インクジェットヘッド２０２ｗ、インクジェットヘッド２０２ｙ、インクジェットヘッド２０２ｍ、インクジェットヘッド２０２ｃ、インクジェットヘッド２０２ｋ、及びインクジェットヘッド２０２ｔを有する。これらの複数のインクジェットヘッドは、例えば、副走査方向における位置を揃えて、主走査方向へ並べて配設される。また、それぞれのインクジェットヘッドは、造形台１０４と対向する面に、所定のノズル列方向へ複数のノズルが並ぶノズル列を有する。また、本例において、ノズル列方向は、副走査方向と平行な方向である。
【００３６】
また、これらのインクジェットヘッドのうち、インクジェットヘッド２０２ｓは、サポート材として用いるインクを吐出するインクジェットヘッドである。サポート材としては、例えば、サポート層用の公知の材料を好適に用いることができる。インクジェットヘッド２０２ｗは、白色（Ｗ色）のインクを吐出するインクジェットヘッドである。白色のインクは、光反射性のインクの一例であり、例えば造形物５０において光を反射する性質の領域である光反射領域を形成する場合に用いられる。この光反射領域は、例えば、造形物５０表面に対してフルカラー表現での着色を行う場合に、造形物５０の外部から入射する光を反射する。本例の造形装置１２により造形する造形物５０の構成については、後に更に詳しく説明をする。
【００３７】
インクジェットヘッド２０２ｙ、インクジェットヘッド２０２ｍ、インクジェットヘッド２０２ｃ、インクジェットヘッド２０２ｋ（以下、インクジェットヘッド２０２ｙ〜ｋという）は、着色された造形物５０の造形時に用いられる着色用のインクジェットヘッドである。より具体的に、インクジェットヘッド２０２ｙは、イエロー色（Ｙ色）のインクを吐出する。インクジェットヘッド２０２ｍは、マゼンタ色（Ｍ色）のインクを吐出する。インクジェットヘッド２０２ｃは、シアン色（Ｃ色）のインクを吐出する。また、インクジェットヘッド２０２ｋは、ブラック色（Ｋ色）のインクを吐出する。また、本例において、ＹＭＣＫ（ＣＭＹＫ）の各色は、減法混色法によるフルカラー表現に用いるプロセスカラーの一例である。ＹＭＣＫ（ＣＭＹＫ）の各色については、例えば、ＣＭＹＫ表色系において用いる基本色の一例と考えることもできる。また、インクジェットヘッド２０２ｔは、クリアインクを吐出するインクジェットヘッドである。クリアインクとは、例えば、可視光に対して無色で透明（Ｔ）なクリア色（ＣＬ色）のインクのことである。
【００３８】
複数の紫外線光源２０４は、インクを硬化させるための光源（ＵＶ光源）であり、紫外線硬化型インクを硬化させる紫外線を発生する。また、本例において、複数の紫外線光源２０４のそれぞれは、間にインクジェットヘッドの並びを挟むように、ヘッド部１０２における主走査方向の一端側及び他端側のそれぞれに配設される。紫外線光源２０４としては、例えば、ＵＶＬＥＤ（紫外ＬＥＤ）等を好適に用いることができる。また、紫外線光源２０４として、メタルハライドランプや水銀ランプ等を用いることも考えられる。平坦化ローラ２０６は、造形物５０の造形中に形成されるインクの層を平坦化するための平坦化手段である。平坦化ローラ２０６は、例えば主走査動作時において、インクの層の表面と接触して、硬化前のインクの一部を除去することにより、インクの層を平坦化する。
【００３９】
以上のような構成のヘッド部１０２を用いることにより、造形物５０を構成するインクの層を適切に形成できる。また、複数のインクの層を重ねて形成することにより、造形物５０を適切に造形できる。
【００４０】
尚、ヘッド部１０２の具体的な構成については、上記において説明をした構成に限らず、様々に変形することもできる。例えば、ヘッド部１０２は、着色用のインクジェットヘッドとして、上記以外の色用のインクジェットヘッドを更に有してもよい。また、ヘッド部１０２における複数のインクジェットヘッドの並べ方についても、様々に変形可能である。例えば、一部のインクジェットヘッドについて、他のインクジェットヘッドと副走査方向における位置をずらしてもよい。
【００４１】
続いて、本例の造形装置１２により造形する造形物５０の構成について、更に詳しく説明をする。図２は、本例の造形装置１２により造形する造形物５０の構成の一例を示す図であり、積層方向（Ｚ方向）と直交する造形物５０の断面であるＸ−Ｙ断面の構成の一例を、サポート層５２とともに示す。また、この場合、Ｙ方向やＺ方向と垂直な造形物５０のＺ−Ｘ断面やＺ−Ｙ断面の構成も、同様の構成になる。
【００４２】
上記においても説明をしたように、本例において、造形装置１２（図１参照）は、インクジェットヘッド２０２ｙ〜ｋ（図１参照）等を用いて、着色された造形物５０を造形する。また、この場合、造形物５０として、例えば、表面の少なくとも一部が着色された造形物５０を造形する。造形物５０の表面が着色されるとは、例えば、造形物５０において外部から色彩を視認できる領域の少なくとも一部が着色されることである。また、この場合、造形装置１２は、例えば図中に示すように、内部領域１５２、光反射領域１５４、及び着色領域１５６を有する造形物５０を造形する。また、必要に応じて、造形物５０の周囲等にサポート層５２を形成する。
【００４３】
内部領域１５２は、造形物５０の内部を構成する領域である。また、内部領域１５２については、例えば、造形物５０の形状を構成する領域と考えることもできる。本例において、造形装置１２は、サポート材以外のいずれかのインクを用いて、内部領域１５２を形成する。この場合、例えば、任意の複数色のインクを用いて内部領域１５２を形成すること等が考えられる。また、造形物５０に求められる品質等に応じて、内部領域１５２について、例えば、１色のインクのみを用いて形成してもよい。光反射領域１５４は、着色領域１５６を介して造形物５０の外側から入射する光を反射するための光反射性の領域（反射層）である。本例において、造形装置１２は、インクジェットヘッド２０２ｗ（図１参照）から吐出する白色のインクを用いて、内部領域１５２の周囲に光反射領域１５４を形成する。
【００４４】
着色領域１５６は、インクジェットヘッド２０２ｙ〜ｋから吐出する着色用のインクにより着色がされる領域（カラー層）である。本例において、造形装置１２は、インクジェットヘッド２０２ｙ〜ｋから吐出する着色用のインクと、インクジェットヘッド２０２ｔ（図１参照）から吐出するクリアインクとを用いて、光反射領域１５４の周囲に着色領域１５６を形成する。この場合、例えば、各位置への各色の着色用のインクの吐出量を調整することにより、様々な色を表現する。また、色の違いによって生じる着色用のインクの量の変化を一定の量に補填するために、クリアインクを用いる。このように構成すれば、例えば、着色領域１５６の各位置を所望の色で適切に着色できる。
【００４５】
尚、造形物５０の変形例においては、造形物５０の具体的な構成について、上記と異ならせることも考えられる。より具体的には、例えば、内部領域１５２と光反射領域１５４とを区別せずに、例えば白色のインクを用いて内部領域１５２を形成することで、光反射領域１５４の機能を兼ねた内部領域１５２を形成すること等が考えられる。また、例えば、着色領域１５６の外側を覆う保護領域等を更に形成すること等も考えられる。この場合、例えば、クリアインクを用いて、透明な保護領域を形成することが考えられる。
【００４６】
続いて、本例の造形システム１０において造形物５０の造形を行う動作について、更に詳しく説明をする。図３は、造形物５０の造形を行う動作について更に詳しく説明をする図であり、入力データに基づいてスライスデータを生成する動作や、スライスデータに基づいてインクを吐出する動作等の一例を示す。
【００４７】
上記においても説明をしたように、本例において、造形装置１２の制御部１１０（図１参照）は、制御ＰＣ１４（図１参照）から受け取る入力データに基づき、スライスデータを生成する。また、この場合、入力データとしては、例えば図中に符号Ａを付して示すような、表面に対して色が設定されている立体物のデータを受け取る。符号Ａを付して示す図は、表面の色の違いを塗りつぶしのパターンで表現して立体物を示す図である。また、図３における他の図においても、図示の便宜上、色の違いを塗りつぶしのパターンを異ならせること等で示している。
【００４８】
また、より具体的に、本例において、入力データとしては、例えば、表面にテクスチャが貼り付けられた３Ｄデータ（３Ｄモデルデータ）を用いる。このような３Ｄデータとしては、公知の３Ｄデータを好適に用いることができる。また、本例において、テクスチャとしては、Ｒ（レッド）、Ｇ（グリーン）、及びＢ（ブルー）の各色を基本色として用いることで色が表現されたテクスチャを用いる。このようなテクスチャについては、例えば、ＲＧＢの各色を基本色としてフルカラー表現がされたテクスチャ等と考えることもできる。また、この場合、テクスチャについては、例えば、厚みの情報を含まない色情報のデータ等と考えることもできる。また、入力データについては、例えば、貼り付けられたテクスチャにより表面の各位置の色が設定されているデータ等と考えることができる。
【００４９】
また、本例において、入力データにおいて基本色として用いられているＲＧＢの各色は、入力基本色の一例である。また、ＲＧＢの各色を基本色として用いる色空間であるＲＧＢ色空間は、入力色空間の一例である。ＲＧＢ色空間については、例えば、ＲＧＢ表色系での色を示す色空間等と考えることもできる。また、この場合、ＲＧＢの各色により構成される複数の入力基本色について、例えば、入力色空間における複数の基本色の一例と考えることもできる。また、本例において用いる入力データについては、例えば、入力色空間において造形物の少なくとも一部の色が表現されているデータ等と考えることもできる。また、入力色空間については、例えば、後に説明をする材料色空間と異なる色空間等と考えることもできる。
【００５０】
また、上記においても説明をしたように、本例において、造形装置１２では、内部領域、光反射領域、及び着色領域を備える造形物を造形する。そのため、入力データに基づいてスライスデータを生成する処理の中で、例えば図中に符号Ｂを付して示すように、各領域に対応する厚みを設定する処理を行う。この場合、例えば、入力データにおいて造形物の表面に設定されている色に基づき、造形物の法線方向における所定の厚みの部分が着色領域になり、その内側の所定の厚みの部分が光反射領域になるように、造形物の各領域に対応する厚みを設定する。また、この処理では、クリアインクに対応するＣＬ色及び白色のインクに対応するＷ色を更に用いて、造形物の各領域の各位置に対し、色の設定を行う。また、造形物の周囲にサポート層を形成する場合、サポート層となる領域の各位置に対して、サポート材に対応する色であるＳｐ色の指定を行う。
【００５１】
尚、造形物の造形時にサポート層を形成する場合、入力データとして、サポート層の形状及び位置を更に示すデータを用いることが考えられる。また、サポート層の形状及び位置については、例えば、制御部１１０において、入力データにおいて示されている造形物の形状等に基づいて自動的に設定を行ってもよい。
【００５２】
また、上記のように各領域に対応する設定を行った後、例えば図中に符号Ｃを付して示すように、スライス化の処理であるスライス処理を行う。スライス処理については、例えば、造形時に積層するそれぞれのインクの層に対応する位置において造形物の断面を示すデータを生成する処理等と考えることもできる。より具体的に、本例において、スライス処理では、造形時に積層するそれぞれのインクの層に対応する位置（積層方向の各位置）における造形物の断面の形状及び色を入力データに基づいて設定する。スライス処理により生成する各位置のデータについては、例えば、後に説明をする色変換処理を行う前のスライスデータと考えることができる。また、色変換処理を行う前のスライスデータについては、例えば、着色領域の各位置の色が入力色空間で表現されているスライスデータと考えることができる。
【００５３】
また、本例においては、スライス処理に続いて、例えば図中に符号Ｄを付して示すように、色変換処理を行う。より具体的に、本例において、色変換処理では、着色領域の各位置の色が入力色空間で表現されているスライスデータに対し、着色用のインクの色の色空間である材料色空間で色が表現されるように色の変換を行う。この場合、材料色空間については、例えば、造形物の着色に用いる材料の色に対応する色空間等と考えることができる。また、本例において、材料色空間は、ＣＭＹＫの各色を基本色として用いる色空間であるＣＭＹＫ色空間である。この場合、ＣＭＹＫの各色は、材料色空間における基本色である材料基本色の一例である。ＣＭＹＫの各色により構成される複数の材料基本色は、材料色空間における複数の基本色の一例である。また、ＣＭＹＫ色空間については、例えば、ＣＭＹＫ表色系での色を示す色空間等と考えることができる。
【００５４】
また、更に具体的に、本例において行う色変換処理では、例えば、色変換処理を行う前のスライスデータにおいて複数の入力基本色により表現される色を、複数の材料基本色により表現される色に変換する処理を行う。また、このような色変換処理を行うことにより、制御部１１０は、ＲＧＢの各色に代えてＣＭＹＫの各色を基本色として用いて色が表現されたスライスデータを生成する。このようなスライスデータについては、例えば、材料色空間において造形物の少なくとも一部に対する色が表現されている吐出位置指定データの一例と考えることができる。
【００５５】
尚、入力データに基づいてスライスデータを生成する処理において、色変換処理以外の各処理については、スライスデータを生成する場合に行う公知の処理と同一又は同様に行うことができる。また、本例において行う色変換処理については、後に更に詳しく説明をする。
【００５６】
また、上記のようにしてスライスデータの生成を行った後、制御部１１０は、例えば図中に符号Ｅを付して示すように、スライスデータに基づき、ヘッド部１０２（図１参照）における各インクジェットヘッドに各色のインクを吐出させる。スライスデータに基づいて各色用のヘッド部に各色のインクを吐出させる動作については、例えば、公知の造形装置１２と同一又は同様に行うことができる。また、この場合、積層方向の各位置に対応するスライスデータに対応するインクの層をヘッド部１０２に順次形成させることにより、造形物５０及びサポート層５２を構成する複数のインクの層を積層させる。インクの層を積層させる動作については、例えば、インクのドットを積層させるドット積層の動作等と考えることもできる。また、この場合、インクの層を積層する動作が完了した後、必要に応じて、サポート層を除去する動作を行う。このように構成すれば、例えば、例えば図中に符号Ｆを付して示すように、所望の造形物の造形（出力）を適切に行うことができる。
【００５７】
続いて、本例において行う色変換処理について、更に詳しく説明をする。図４は、色変換処理について更に詳しく説明をする図である。図４（ａ）は、色変換処理の動作の一例を示す。上記においても説明をしたように、本例において行う色変換処理は、着色領域の各位置の色が入力色空間で表現されているスライスデータに対し、材料色空間で色が表現されるように色の変換を行う処理である。また、この場合において、入力色空間としてはＲＧＢ色空間を用い、材料色空間としてはＣＭＹＫ色空間を用いる。
【００５８】
また、本例においては、このような色変換について、以下において詳しく説明をするように、入力色空間での色と材料色空間での色とを対応付けるプロファイルと、色調整パラメータとを用いて色の変換を行う。この場合、プロファイルとは、例えば、デバイス等に対する入力側の色空間と出力側の色空間とを対応付けるデータのことである。また、本例において、プロファイルとしては、例えば、ＩＣＣプロファイルを用いる。また、プロファイルにおいては、例えば、入力色空間及び材料色空間のいずれとも異なる色空間を接続色空間として用いて、接続色空間を介して入力色空間での色と材料色空間での色とを対応付けてもよい。この場合、接続色空間としては、例えば、デバイス等に依存しない色空間を用いることが好ましい。この場合、色変換処理で用いるプロファイルについて、例えば、入力色空間での色と接続色空間での色とを対応付ける入力側のプロファイルである入力プロファイルと、接続色空間での色と材料色空間での色とを対応付ける出力側のプロファイルである出力プロファイルとを合成したプロファイル等と考えることができる。また、この場合、接続色空間としては、例えば、Ｌａｂ色空間等を用いることが考えられる。より具体的に、この場合、入力プロファイルとしては、例えば、ＲＧＢ色空間とＬａｂ色空間とを対応付けるＩＣＣプロファイルを用いることが考えられる。出力プロファイルとしては、例えば、Ｌａｂ色空間とＣＭＹＫ色空間とを対応付けるＩＣＣプロファイルを用いることが考えられる。
【００５９】
このように構成すれば、例えば、ＲＧＢ色空間での色とＣＭＹＫ色空間での色とを対応付けるプロファイルを適切に用いることができる。また、これにより、例えば、色変換処理を行う前のスライスデータにおいてＲＧＢ色空間で表現されている色について、ＣＭＹＫ色空間で表現される色に適切に変換することができる。また、このようなプロファイルとしては、例えば、公知の色変換処理において用いるプロファイルと同一又は同様のプロファイルを用いることができる。また、本例において、プロファイルを用いて行う色の変換は、プロファイル変換処理の一例である。プロファイル変換処理とは、例えば、プロファイルに基づいて複数の入力基本色であるＲＧＢの各色により表現される色を複数の材料基本色であるＣＭＹＫの各色により表現される色に変換する処理のことである。また、プロファイルについては、例えば、色変換処理にて変換後の色を決めるための変換テーブル等と考えることもできる。
【００６０】
また、本例における色変換処理では、プロファイルを用いて行う色の変換に加え、色調整パラメータを用いた色の調整を行う。より具体的に、本例においては、プロファイルを用いて色の変換を行った結果に対し、色調整パラメータを用いて色の調整を行う。この場合、色調整パラメータを用いて行う色の調整は、プロファイル変換処理の結果に対して調整を行う変換後調整処理の一例である。また、この場合、色調整パラメータについては、例えば、プロファイルを用いて行う色変換に対して行う調整に用いるパラメータ等と考えることができる。また、色調整パラメータを用いて行う色の調整については、例えば、色変換処理で用いる変換テーブルの値を調整する処理等と考えることもできる。
【００６１】
また、本例においては、例えば図中に示すように、複数の材料基本色であるＣＭＹＫの色毎に予め用意された色調整パラメータを用い、各色用の色調整パラメータに基づいて各色の調整を行うことで、色調整パラメータを用いた色の調整を行う。この場合、各色用の色調整パラメータとしては、例えば、一つの色について、調整前の値と調整後の値とを対応付けるためのパラメータを用いる。調整前の値とは、例えば、調整前の色の濃度である。また、調整後の値とは、例えば、調整後の色の濃度である。調整前の値と調整後の値とを対応付けるためのパラメータとは、例えば、対応付けを決める関数等の対応関係を指定するパラメータであってよい。また、このような色調整パラメータを用いて行う色の調整については、例えば、色の濃度を変換する濃度変換処理等を考えることもできる。
【００６２】
また、より具体的に、本例においては、図中にＣＭＹＫの濃度変換処理として示すように、予め設定された色濃度曲線３０２に従って調整前の値と調整後の値とを対応付けることにより、色の調整を行う。色濃度曲線３０２については、例えば、色の濃度の調整の仕方を指定する曲線（ｃｏｌｏｒ  ｄｅｎｓｉｔｙ  ｃｕｒｖｅ）等と考えることができる。このような色濃度曲線３０２としては、例えば図中に示すように、調整前の値が増加するのに従って対応する調整後の値が徐々に増加する増加関数を示す曲線を用いることが考えられる。また、この場合、色調整パラメータとして色濃度曲線３０２のカーブ形状を指定するパラメータを使用することで、各色に対してどのような調整を行うかを指定する。
【００６３】
また、図中に示すグラフ等から理解できるように、本例において行い色の調整（濃度変換処理）については、例えば、色濃度曲線３０２に従って入力値を出力値に変換する処理等と考えることができる。より具体的に、図中に示すグラフは、Ｃ色用の色調整パラメータにより指定される色濃度曲線３０２の一例を示している。また、値Ｃは、調整前の値として入力され色の濃度の例である。値Ｃ’は、調整後の値として出力される色の濃度の例である。値Ｃと、値Ｃ’は、図中に示すように、色濃度曲線３０２によって対応付けられている。このように構成すれば、Ｃ色の濃度について、色調整パラメータに基づく調整を適切に行うことができる。また、具体的な色濃度曲線３０２の図示等は省略しているが、Ｃ色以外の各色についても、同様にして、色調整パラメータに基づく調整を適切に行うことができる。
【００６４】
また、この場合、色濃度曲線３０２については、色調整パラメータを変化させることで、曲線の形状を変化させることができる。図４（ｂ）は、図４（ａ）に示した場合と異なる色濃度曲線３０２の例を示す。図から理解できるように、色濃度曲線３０２を変化させることで、色変換処理の結果を変化させることができる。また、この場合、色調整パラメータについては、例えば、調整前の値に応じて調整後の値が決まる関数を指定するパラメータ等と考えることができる。また、色調整パラメータとしては、色濃度曲線３０２に対応する関数を直接的に指定するパラメータ等に限らず、その他の方法で調整前の値と調整後の値とを対応付けるパラメータを用いてもよい。この場合、例えば、代表的な複数の値に対して調整の前後の値の対応付けを色調整パラメータとして用意しておき、その他の値に対しては補間処理により対応付けを行うこと等も考えられる。
【００６５】
また、本例においては、プロファイルを用いた色の変換と、色調整パラメータを用いた色の調整を行った後に、２値化の処理、及びコマンド化の処理を行って、スライスデータを完成させる。この場合、２値化の処理とは、例えば、造形の条件に合わせてハーフトーン処理を行うことで各色のインクを吐出する位置を指定する処理のことである。また、コマンド化とは、例えば、造形装置１２において実行可能な所定の形式にスライスデータを変換する処理のことである。２値化の処理やコマンド化の処理については、スライスデータを生成するために行う公知の処理で行われる２値化の処理やコマンド化の処理と同一又は同様に行うことができる。また、上記のように色変換処理や２値化の処理等を行ってスライスデータを生成する処理については、３次元でのＲＩＰ処理である３ＤＲＩＰ処理等と考えることができる。また、この場合、色調整パラメータについては、３ＤＲＩＰ処理で色調整を行うための調整値等と考えることもできる。また、以上の処理を行うことにより、例えば、それぞれのインクの形成時にインクを吐出する位置を指定するスライスデータを適切に生成することができる。
【００６６】
ここで、造形装置１２においては、様々な形状の造形物５０を造形することが考えられる。また、造形物５０の色については、設計上で同じ条件での着色を行ったとしても、造形物５０の形状等の影響で見え方に差が生じる場合もある。また、その結果、完成した造形物５０の色について、イメージしていた色との間に差が生じる場合がある。そして、このような場合、例えば、入力データをモデリングソフトウェア等で再編集して、色の調整を行うこと等も考えられる。しかし、このようにして色の調整を行う場合、作業の手戻りによる手間が大きくなり、作業の効率が大きく低下することになる。
【００６７】
これに対し、本例においては、入力データに基づいてスライスデータを生成する処理の中で行う色変換処理において、色調整パラメータを用いて、色の調整を行うことができる。また、この場合において、色調整パラメータを変化させることで、色変換処理の結果を変化させることができる。そして、このような調整については、入力データの再編集等を行うことなく、指定する色調整パラメータを変化させることのみで行うことができる。
【００６８】
より具体的に、色調整パラメータの指定や変更については、例えば、予め用意された複数の色調整パラメータの中からいずれかを選択する指示をユーザから受け付けることで行うことが考えられる。また、例えば、色濃度曲線３０２の形状を指定するための数値を色調整パラメータとして用い、ユーザから数値の入力を受けることで色調整パラメータの指定や変更を行うこと等も考えられる。そして、このような色調整パラメータの指定や変更等については、造形装置１２に対する操作画面等で行うことが考えられる。また、造形装置１２に対する操作画面としては、例えば、制御ＰＣ１４（図１参照）を用いてもよい。そして、この場合、造形装置１２へ入力データを入力した後に色調整パラメータの指定や変更を行うことが可能であるため、入力データの再編集等を行うことなく、色変換処理の結果を様々に変化させることができる。また、これにより、例えば、手戻りによる手間の増大等を適切に防ぎつつ、造形物５０の色の調整を容易かつ適切に行うことができる。
【００６９】
尚、造形物５０の色の調整を行うためには、色調整パラメータを用いるのではなく、例えば、プロファイルの内容を直接変更すればよいようにも思われる。また、例えば予め複数のプロファイルを用意しておき、ユーザにプロファイルを選択させることで色の変換の仕方を変更すること等も考えられる。しかし、ＩＣＣプロファイル等のプロファイルは、通常、多くの値を含むデータである。そのため、個々の値をユーザに直接変化させることは困難である。また、プロファイルは、多くの値を含むことでサイズが大きなデータになるため、複数のプロファイルを用意して高い精度での色の調整を行おうとすると、プロファイルの保存に要する記憶容量が大きく増大することになる。また、多数のプロファイルを用意するための多くの工数が必要になること等も考えられる。これに対し、本例においては、ＣＭＹＫの色毎に色濃度曲線３０２を指定する色調整パラメータを用いることで、より容易かつ適切に色の調整を行うことが可能になる。
【００７０】
続いて、色調整パラメータを用いて色の調整を行うことの応用例等について、説明をする。上記においても説明をしたように、本例においては、色調整パラメータを用いた調整を行うことで、造形物における色の見え方の調整を行うことができる。また、色調整パラメータについては、例えば、造形装置１２毎の特性の差を調整するために用いること等も考えられる。
【００７１】
また、色調整パラメータについて、例えば、造形物における着色領域１５６（図２参照）の厚みと対応付けて用いることも考えられる。この場合、着色領域１５６の厚みとは、例えば、造形物５０の法線方向における厚みのことである。また、着色領域１５６の厚みと対応付けて色調整パラメータを用いるとは、例えば、着色領域１５６の厚みを変化させる場合に、着色領域１５６の厚みに合わせて色調整パラメータを選択することである。また、反対に、ユーザが選択した色調整パラメータに合わせて着色領域１５６の厚みを設定することで、着色領域１５６の厚みと対応付けて色調整パラメータを用いること等も考えられる。また、これらのようにして色調整パラメータを用いる動作については、例えば、造形物の構成に応じて色調整パラメータを設定する動作の一例と考えることができる。
【００７２】
図５は、着色領域１５６の厚みと色調整パラメータとの関係について更に詳しく説明をする図である。図５（ａ）は、着色領域１５６の厚みと色の濃度との関係の一例を示す。上記においても説明をしたように、本例において、表面が着色された造形物の造形を行う場合、光反射領域１５４及び着色領域１５６を形成する。また、この場合、着色領域１５６において表現される色の濃度については、着色領域１５６の厚みによって変化する。より具体的に、着色領域１５６において表現される色については、造形物５０の法線方向における着色領域１５６の厚みが大きい程、濃くなると考えられる。そのため、着色領域１５６については、通常、法線方向における厚みが一定（例えば１５０μｍ程度）になるように形成する。厚みが一定になるとは、例えば、標準の厚みとの差が所定の許容範囲内になることである。また、この場合、色変換処理においては、着色領域１５６の厚みに合わせて、色の変換を行う。
【００７３】
より具体的に、図５（ａ）における左側の図は、インクの層を４層重ねた厚みの着色領域１５６を形成する場合の着色領域１５６の構成の例を示す。この場合、図中に示す観察方向から見た色の濃度については、実質的に、一つのインクの層における色の濃度の４倍になると考えられる。そのため、観察方向から見た色を所定の１００％の濃度の青色にしようとする場合、図中に示すように、一つのインクの層において２５％の濃度の青色が表現されるようにして、４層分の厚みの着色領域１５６を形成することになる。
【００７４】
また、図５（ａ）における右側の図は、インクの層を２層重ねた厚みの着色領域１５６を形成する場合の着色領域１５６の構成の例を示す。この場合、図中に示す観察方向から見た色の濃度については、実質的に、一つのインクの層における色の濃度の２倍になると考えられる。そのため、観察方向から見た色について、左側に示した場合と同じように１００％の濃度の青色にしようとする場合、図中に示すように、一つのインクの層において５０％の濃度の青色が表現されるようにして、２層分の厚みの着色領域１５６を形成することになる。
【００７５】
そして、この場合、スライスデータの生成時に行う色変換処理では、一つのインクの層における色の濃度が着色領域１５６の全体の厚みに応じた濃度になるように、色の変換を行う。また、このような色の変換については、共通のプロファイルを用いて、色調整パラメータを着色領域１５６の厚みに応じて変化させることが考えられる。また、より具体的に、この場合、上記においても説明をしたように、着色領域１５６の厚みと対応付けられた色調整パラメータを予め用意しておき、着色領域１５６の厚みに応じて使用する色調整パラメータを変更することが考えられる。この場合、色変換処理において、造形装置１２における制御部１１０（図１参照）は、例えば、着色領域１５６の厚みに応じて、使用する色調整パラメータを変更する。このように構成すれば、例えば、着色領域１５６の厚みに合わせた色の調整を適切に行うことができる。また、これにより、例えば、着色領域１５６の厚みを変化させた場合にも、着色領域１５６の厚みに合わせた色変換処理を適切に行うことができる。
【００７６】
また、この場合、入力モデルに基づいてスライスデータを生成する処理において、ユーザの指示に基づき、着色領域１５６の厚みの調整を行うこと等も考えられる。この場合、例えば、色調整パラメータ、又は色調整パラメータと予め対応付けられた造形の条件等の指定をユーザから受け付け、着色領域１５６の厚みについて、指定された色調整パラメータに対応する厚みに設定すること等も考えられる。
【００７７】
図５（ｂ）、（ｃ）は、着色領域１５６の厚みの調整の例を示す。また、これらのうち、図５（ｂ）は、図中の左右に示す２種類の造形物５０について、標準（デフォルト）の厚みで着色領域１５６を形成する場合の造形物５０の断面の構成の一例を示す。この場合、例えば左側の図に示した造形物５０では、着色領域１５６のいずれの部分においてもその内側に光反射領域１５４等が形成される構成になるため、造形物５０の外部から造形物５０へ入射した光は、光反射領域１５４により反射されることになる。
【００７８】
これに対し、図５（ｂ）の右側の図に示す場合のように、一部の厚みが薄い造形物５０を造形する場合、図中に破線で囲んで示すように、造形物５０の一部の厚みが着色領域１５６分の厚み分のみになり、その内側に光反射領域１５４等を形成できなくなる。そして、この場合、その部分に対して造形物５０の外部から入射した光の多くは、造形物５０の内部で反射されることなく、造形物５０を透過すると考えられる。また、その結果、このような部分において、造形物５０が透けるような印象になることや、色の見え方が他の部分と異なること等が考えられる。
【００７９】
より具体的に、例えば、観察方向から見た色を所定の１００％の濃度の青色になるように着色領域１５６を形成する場合、左側の図に示した造形物５０や、右側の図に示した造形物５０において内部に光反射領域１５４が形成されている部分では、実際に１００％の濃度の青色が視認されると考えられる。しかし、右側の図に示した造形物５０において内部に光反射領域１５４が形成されていない部分では、外部から入射した光がその部分を透過する影響で、１００％の濃度の青色には見えない状態になることが考えられる。
【００８０】
そして、このような場合には、例えば図５（ｃ）に示すように、着色領域１５６の厚みを変化させることで、造形物５０における薄い部分にも着色領域１５６等を形成することが考えられる。図５（ｃ）は、図中の左右に示す２種類の造形物５０について、標準の厚みよりも厚みを小さくして着色領域１５６を形成する場合の造形物５０の断面の構成の一例を示す。また、この場合、色調整パラメータを用いて色の調整（ＣＭＹＫの濃度調整）を行うことで、着色領域１５６の厚みに合わせた色変換処理を行うことが考えられる。
【００８１】
より具体的に、図５（ａ）等を用いて上記においても説明をしたように、本例においては、一つのインクの層における色の濃度（１層あたりの色の濃度）を大きくすることで、着色領域１５６を薄くした場合にも着色領域１５６の全体としての色の濃度を変化させないことが可能になる。また、これにより、例えば図５（ｃ）に示すように着色領域１５６の厚みを小さくした場合も、造形物５０の外部から視認される色を図５（ｂ）に示す構成の場合と同じにできる。
【００８２】
また、この場合、着色領域１５６の厚みを小さくすることで、標準の厚みの着色領域１５６を形成する場合には光反射領域１５４を形成できない造形物５０の細部に対しても、光反射領域１５４を形成することが可能になる。この場合、例えば、図５（ｃ）の右側の図において破線で囲んだ部分においても、光反射領域１５４を形成することが可能になる。また、その結果、このような部分において色の見え方が変化すること等を適切に防ぐことができる。例えば、観察方向から見た色を所定の１００％の濃度の青色になるように着色領域１５６を形成する場合、図中の左右に示す造形物５０において、右側に図中に破線で囲んだ部分も含めて、実際に１００％の濃度の青色が視認されると考えられる。そのため、本例によれば、例えば、様々な形状の造形物５０に対して、より適切に着色を行うことができる。
【００８３】
続いて、上記において説明をした構成に関する補足説明や、変形例の説明等を行う。上記においては、色調整パラメータを用いて行う色の調整について、主に、造形物５０の全体に対して共通に行う場合について、説明をした。しかし、色変換処理においては、造形物５０の一部に対し、他の部分と異なる色の調整を行ってもよい。この場合、例えば、造形物５０における互いに異なる複数の領域に対し、互いに異なる色調整パラメータを用いて行う色の調整を行うこと等が考えられる。
【００８４】
より具体的に、立体的な造形物５０においては、例えば様々な角度で傾斜する面により表面が構成されること等により、造形物５０の位置によって色の見え方に差が生じる場合がある。そして、このような場合、例えば、造形物５０の領域によって色の調整の仕方を異ならせること等が考えられる。また、この場合、色変換処理において、造形装置１２における制御部１１０（図１参照）は、例えば、造形物５０における第１の領域に対して、プロファイル、及び第１の色調整パラメータを用いて色の変換を行う。そして、造形物５０における第１の領域と異なる造形物の第２の領域に対して、プロファイル、及び第１の色調整パラメータと異なる第２の色調整パラメータを用いて色の変換を行う。また、この場合において、プロファイルについては、例えば、造形物５０の全体に対し、同じプロファイルを使用する。このように構成すれば、例えば、造形物５０の各領域に合わせた色の調整を適切に行うことができる。
【００８５】
また、この場合、どの領域に対してどのような色調整パラメータを用いるかについては、例えば、ユーザの指示に基づいて決定を行うことが考えられる。また、ユーザの指示については、例えば、制御ＰＣ１４（図１参照）等を介して受け取ることが考えられる。より具体的に、この場合、制御部１１０は、例えば、第１の領域を選択する指示と、第１の色調整パラメータを選択する指示とをユーザから受け付ける。このように構成すれば、例えば、造形物の各領域に対し、ユーザの指示に基づく調整を適切に行うことができる。また、この場合、第２の領域についても、領域及び色調整パラメータを選択する指示を受け付けることが考えられる。また、ユーザの指定を受けなかった領域に対しては、予め設定された標準の方法での色の調整を行うこと等も考えられる。
【００８６】
また、このような領域毎の色の調整について、より具体的には、例えば、図６を用いて以下において説明をするように行うことが考えられる。図６は、色調整パラメータを用いて行う色の調整の仕方の変形例について説明をする図である。図６（ａ）、（ｂ）は、色調整パラメータを用いて領域毎の色の調整を行う場合に選択する領域の例を示す。
【００８７】
造形物５０の領域によって色の調整の仕方を異ならせる場合、例えば、造形物５０の表面を構成する面毎に色の調整の仕方を設定すること等が考えられる。造形物５０の表面を構成する面とは、図５（ａ）に示す面４０２ａ〜ｃのような、造形物５０の表面において連続的に繋がる領域のことである。造形物５０の表面を構成する面については、例えば、実質的に同じ方向を向いていると見なせる状態で連続的に繋がる領域等と考えることもできる。そして、この場合、例えば、第１の色調整パラメータを用いて色の調整を行う第１の領域として、造形物５０の表面におけるいずれかの面に対応する領域を設定することが考えられる。造形物５０の表面におけるいずれかの面に対応する領域とは、例えば、その面の位置に形成される着色領域のことである。また、第２の色調整パラメータを用いて色の調整を行う第２の領域としては、例えば、第１の領域に対応する面以外のいずれかの面に対応する領域を設定すること等が考えられる。また、この場合、第２の領域としては、例えば、造形物５０の表面において水平面に対する傾きが第１の領域に対応する面とは異なる面に対応する領域を設定することが考えられる。このように構成すれば、例えば、面毎の色の調整を適切に行うことができる。また、この場合、例えば、造形物５０における各面（例えば、上下左右前後のそれぞれの面）に対して、個別の色調整パラメータを対応付けて、面毎に色の調整（色の濃度変換処理等）を行うこと等も考えられる。このように構成すれば、造形物５０におけるそれぞれの面の色をより適切に調整することができる。また、これにより、例えば、面によって色の見え方に差が生じること等を適切に防ぐことができる。
【００８８】
また、色調整パラメータを用いて色の調整を行う領域としては、例えば図６（ｂ）に示すように、面４０２よりも狭い領域４０４を選択すること等も考えられる。この場合、一つの面４０２の一部を構成する領域４０４に対し、第１の色調整パラメータを用いて色の調整を行い、その面４０２における領域４０４以外の部分に対し、第１の色調整パラメータと異なる第２の色調整パラメータを用いて色の調整を行うこと等が考えられる。このように構成した場合も、造形物５０の各部に対し、より適切に色の調整を行うことができる。
【００８９】
また、上記においては、色調整パラメータを用いた色の調整に関し、主に、プロファイルを用いて行う変換後の色に対して行う場合について、説明をした。しかし、色調整パラメータを用いた色の調整については、例えば、プロファイルを用いて行う変換前の色に対して行うことも考えられる。より具体的に、この場合、造形装置１２における制御部１１０は、色変換処理において、プロファイル変換処理を行う前に、変換前調整処理を行う。変換前調整処理とは、例えば、プロファイルに基づいて行う色の変換の処理の前に複数の入力基本色の色毎に予め用意された色調整パラメータに基づいて色の調整を行う処理である。また、より具体的に、色変換処理において、ＲＧＢ色空間での色からＣＭＹＫ色空間での色への変換を行う場合、変換前調整処理では、ＲＧＢの色毎に用意された色調整パラメータに基づき、ＲＧＢの各色の濃度の調整を行うことが考えられる。また、この場合、色の濃度の調整を行った後の濃度によりＲＧＢ色空間で表現されている色に対し、プロファイルに基づいて、ＣＭＹＫ色空間での色への変換を行う。このように構成すれば、例えば、プロファイル変換処理において、変換前調整処理により調整が行われた色に対する色の変換を適切に行うことができる。また、これにより、例えば、プロファイル及び色調整パラメータを用いて、造形物の色の調整を適切に行うことができる。また、この場合も、プロファイル変換処理については、例えば、プロファイルに基づいて複数の入力基本色により表現される色を複数の材料基本色により表現される色に変換する処理と考えることができる。
【００９０】
また、上記においては、色変換処理において使用する色調整パラメータについて、主に、ユーザの指示等に基づいて選択をする場合について、説明をした。しかし、色調整パラメータについては、ユーザの指示等によらず、自動的に選択を行うこと等も考えられる。また、この場合、例えば、入力データが示す造形物の形状等に基づき、造形装置１２の制御部１１０において自動的に色調整パラメータを設定すること等が考えられる。また、自動的に行う色調整パラメータの選択については、例えば、実際に造形を行った結果に対する色の測定を行い、その測定結果に基づいて自動的に行うこと等も考えられる。より具体的に、この場合、造形装置１２における制御部１１０は、例えば、造形装置１２により過去に造形された造形物において表現されている色を測色し、その結果に基づき、その後に造形を行う造形物の造形時に使用する色調整パラメータを設定する。このように構成すれば、例えば、色の調整をより容易かつ適切に行うことができる。
【００９１】
また、色調整パラメータの選択については、例えば、人工知能（ＡＩ）技術を用いて自動的に行うこと等も考えられる。この場合、測色の結果と、選択すべき色調整パラメータとの関係を予め人工知能に学習させておくこと等が考えられる。また、人工知能の利用の仕方として、例えば、造形物の形状と色の見え方等の関係を示すデータを用いて機械学習を行うことで、造形物の形状に対して適した色調整パラメータの選択を自動的に行うこと等も考えられる。
【００９２】
また、上記においては、色調整パラメータを用いて行う色の調整について、主に、ＣＭＹＫの各色又はＲＧＢの各色等の基本色を対象にする場合について、説明をした。しかし、色調整パラメータを用いて行う色の調整については、これらの基本色に限らず、その他の色（例えば、Ｗ色等）に対して行ってもよい。例えば、着色用のインク等として基本色以外の特色のインクを用いる場合、特色に対し、色調整パラメータを用いて色の調整を行ってもよい。また、この場合、プロファイルとしては、変換後の色の中に特色を含むようなプロファイルを用いることが考えられる。
【産業上の利用可能性】
【００９３】
本発明は、例えば造形装置に好適に利用できる。
【符号の説明】
【００９４】
１０・・・造形システム、１２・・・造形装置、１４・・・制御ＰＣ、５０・・・造形物、５２・・・サポート層、１０２・・・ヘッド部、１０４・・・造形台、１０６・・・走査駆動部、１１０・・・制御部、１５２・・・内部領域、１５４・・・光反射領域、１５６・・・着色領域、２０２・・・インクジェットヘッド、２０４・・・紫外線光源、２０６・・・平坦化ローラ、３０２・・・色濃度曲線、４０２・・・面、４０４・・・領域
【図１】
2020097204.tif 000003
【図２】
2020097204.tif 000004
【図３】
2020097204.tif 000005
【図４】
2020097204.tif 000006
【図５】
2020097204.tif 000007
【図６】
2020097204.tif 000008